(57)【要約】      （修正有）【課題】多重ＳＩＭ無線通信のための装置及びその方法を提供する。【解決手段】多重ＳＩＭ無線通信方法は、第１ＳＩＭと係わる第１無線通信の遊休状態において、第１ページングを受信及び処理するための第１ウィンドウを設定する段階Ｓ１００、第１ウィンドウに基づいて、第１ページングと、第２ＳＩＭと係わる第２無線通信との衝突いかんを予測する段階Ｓ３００、衝突予測に応答し、第１ページング及び第２無線通信の同時受信の可能性を判定する段階Ｓ５００、及び同時受信は可能である旨の判定に応答し、第１ページング及び第２無線通信に異なる搬送波に対応する少なくとも１つのＲＦ経路をそれぞれ割り当てる段階Ｓ７００を含む。【選択図】図４
2020065247.tif 000002
【特許請求の範囲】
【請求項１】
多重ＳＩＭ（subscriber  identity  module）無線通信方法であり、
第１ＳＩＭと係わる第１無線通信の遊休状態において、第１ページングを少なくとも受信するための第１ウィンドウを設定する段階と、
前記第１ウィンドウに基づいて、前記第１ページングと、第２ＳＩＭと係わる第２無線通信との衝突いかんを予測する段階と、
衝突予測に応答し、前記第１ページング及び前記第２無線通信の同時受信の可能性を判定する段階と、
同時受信は可能である旨の判定に応答し、前記第１ページング及び前記第２無線通信に、異なる搬送波に対応する少なくとも１つのＲＦ経路をそれぞれ割り当てる段階と、を含む多重ＳＩＭ無線通信方法。
【請求項２】
前記第１ウィンドウは、前記第１ページングを受信するために、ハードウェアを設定する前処理区間、前記第１ページングを受信する受信区間、及び受信された前記第１ページングを処理する後処理区間を含むことを特徴とする請求項１に記載の多重ＳＩＭ無線通信方法。
【請求項３】
前記第１ウィンドウを設定する段階は、
前記前処理区間、前記受信区間及び前記後処理区間に係わる期間情報を獲得する段階と、
前記第１ウィンドウのタイミング情報を獲得する段階と、
前記期間情報及び前記タイミング情報に基づいて、前記第１ウィンドウを定義する段階と、を含むことを特徴とする請求項２に記載の多重ＳＩＭ無線通信方法。
【請求項４】
前記タイミング情報は、前記第１ページングのページングフレーム及びページングオフセットを含むことを特徴とする請求項３に記載の多重ＳＩＭ無線通信方法。
【請求項５】
前記第２ＳＩＭと係わる第２ページングを少なくとも受信するための第２ウィンドウを設定する段階をさらに含み、
前記衝突いかんを予測する段階は、前記第２無線通信が遊休状態であるとき、前記第１ウィンドウ及び前記第２ウィンドウが相互に重畳するか否かを判断する段階を含むことを特徴とする請求項１−４のうち何れか１項に記載の多重ＳＩＭ無線通信方法。
【請求項６】
前記衝突いかんを予測する段階は、前記第２無線通信が連結状態であるとき、前記第２無線通信で信号を受信する区間、及び前記第１ウィンドウが相互に重畳するか否かを判断する段階を含むことを特徴とする請求項１−４のうち何れか１項に記載の多重ＳＩＭ無線通信方法。
【請求項７】
前記第２無線通信が、ＣＤＲＸ（connected  discontinuous  ＲＸ）状態であるとき、オン期間を処理するための第２ウィンドウを設定する段階をさらに含み、
前記衝突いかんを予測する段階は、前記第２無線通信がＣＤＲＸ状態であるとき、前記第１ウィンドウ及び前記第２ウィンドウが相互に重畳するか否かを判断する段階を含むことを特徴とする請求項１−４のうち何れか１項に記載の多重ＳＩＭ無線通信方法。
【請求項８】
前記同時受信の可能性を判定する段階は、
前記第１無線通信及び前記第２無線通信のフレーム境界間の時間差を計算する段階と、
前記時間差が第１基準値以下である場合、キャリアアグリゲーション及び／または多重接続の構成を基に、前記同時受信の可能性を判定する段階と、を含むことを特徴とする請求項１−７のうち何れか１項に記載の多重ＳＩＭ無線通信方法。
【請求項９】
前記同時受信の可能性を判定する段階は、前記時間差が前記第１基準値を超える場合、多重接続の構成に基づいて、前記同時受信の可能性を判定する段階を含むことを特徴とする請求項８に記載の多重ＳＩＭ無線通信方法。
【請求項１０】
前記第１基準値は、ＣＰ（cyclic  prefix）長であることを特徴とする請求項８に記載の多重ＳＩＭ無線通信方法。
【請求項１１】
前記同時受信の可能性を判定する段階は、前記第１無線通信及び前記第２無線通信に使用される増幅利得間の差が第２基準値を超える場合、同時受信の不可能を判定する段階を含むことを特徴とする請求項１−７のうち何れか１項に記載の多重ＳＩＭ無線通信方法。
【請求項１２】
前記同時受信は不可能である旨の判定に応答し、前記第１ウィンドウにおいて、前記第２無線通信で信号の受信を保留する段階をさらに含むことを特徴とする請求項１−７のうち何れか１項に記載の多重ＳＩＭ無線通信方法。
【請求項１３】
前記少なくとも１つのＲＦ経路をそれぞれ割り当てる段階は、
前記第２無線通信に割り当てられた複数のＲＦ経路のうち少なくとも１つのＲＦ経路を剥奪し、剥奪された前記少なくとも１つのＲＦ経路を前記第１ページングに割り当てる段階を含むことを特徴とする請求項１に記載の多重ＳＩＭ無線通信方法。
【請求項１４】
前記少なくとも１つのＲＦ経路をそれぞれ割り当てる段階は、前記第２無線通信に割り当てられた少なくとも１つのＲＦ経路と異なる少なくとも１つのＲＦ経路を追加し、追加された前記少なくとも１つのＲＦ経路を、前記第１ページングに割り当てる段階を含むことを特徴とする請求項１に記載の多重ＳＩＭ無線通信方法。
【請求項１５】
メモリと、
前記メモリに保存された命令語を実行することにより、請求項１ないし１４のうちいずれか１項に記載の多重ＳＩＭ無線通信方法を遂行するように構成された少なくとも１つのプロセッサを含むＭＳＭＳ（multi−ＳＩＭ  multi−standby）装置。
【請求項１６】
多重ＳＩＭ無線通信方法であり、
キャリアアグリゲーション及び／または多重接続の構成に係わるＲＦ資源情報を獲得する段階と、
前記ＲＦ資源情報に基づいて、第１ＳＩＭと係わる第１無線通信の第１ページング、及び第２ＳＩＭと係わる第２無線通信の同時受信の可能性を判定する段階と、
同時受信は可能である旨の判定に応答し、前記第１ページング及び前記第２無線通信に異なる搬送波に対応する少なくとも１つのＲＦ経路をそれぞれ割り当てる段階と、を含む多重ＳＩＭ無線通信方法。
【請求項１７】
前記第１ページングを受信及び処理するための第１ウィンドウを設定する段階と、
前記第１ウィンドウに基づいて、前記第１ページングと前記第２無線通信との衝突いかんを予測する段階と、をさらに含み、
前記同時受信の可能性を判定する段階は、前記衝突いかんを予測する段階の衝突予測に応答して遂行されることを特徴とする請求項１６に記載の多重ＳＩＭ無線通信方法。
【請求項１８】
メモリと、
前記メモリに保存された命令語を実行することにより、請求項１６または１７に記載の多重ＳＩＭ無線通信方法を遂行するように構成された少なくとも１つのプロセッサを含むＭＳＭＳ（multi−ＳＩＭ  multi−standby）装置。
【請求項１９】
ＭＳＭＳ（multi−ＳＩＭ  multi−standby）を支援するユーザ機器であり、
第１ＳＩＭ及び第２ＳＩＭと、
複数の搬送波に対応する複数のＲＦ経路を形成するように構成された送受信器と、
前記送受信器、前記第１ＳＩＭ及び第２ＳＩＭに連結された多重ＳＩＭ装置と、であり、
前記送受信器が提供するＲＦ資源に基づいて、前記第１ＳＩＭと係わる第１無線通信の第１ページング、及び第２ＳＩＭと係わる第２無線通信の同時受信の可能性を判定する段階と、
前記同時受信は可能である旨の判定に応答し、前記第１ページング及び前記第２無線通信に、前記複数のＲＦ経路のうち少なくとも１つのＲＦ経路をそれぞれ割り当てる段階と、を遂行するように構成された前記多重ＳＩＭ装置を含むユーザ機器。
【請求項２０】
前記多重ＳＩＭ装置は、
前記第１ページングを受信及び処理するための第１ウィンドウを設定する段階と、
前記第１ウィンドウに基づいて、前記第１ページングと前記第２無線通信との衝突いかんを予測する段階と、をさらに遂行するように構成され、
前記多重ＳＩＭ装置は、前記衝突いかんを予測する段階の衝突予測に応答し、前記同時受信の可能または不可能を判定する段階を遂行するように構成されたことを特徴とする請求項１９に記載のユーザ機器。
【請求項２１】
前記第１ウィンドウは、前記第１ページングを受信するために、ハードウェアを設定する前処理区間、前記第１ページングを受信する受信区間、及び受信された前記第１ページングを処理する後処理区間を含み、
前記多重ＳＩＭ装置は、前記ＲＦ資源に係わる情報を獲得して獲得された情報に基づいて、前記前処理区間、前記受信区間及び前記後処理区間を判定することにより、前記第１ウィンドウの期間を判定するように構成されたことを特徴とする請求項２０に記載のユーザ機器。
【請求項２２】
前記送受信器は、キャリアアグリゲーション及び／または多重接続により、前記複数のＲＦ経路を形成するように構成されたことを特徴とする請求項１９に記載のユーザ機器。
【発明の詳細な説明】
【技術分野】
【０００１】
本発明は、無線通信に係り、詳細には、多重ＳＩＭ（subscriber  identity  module）無線通信のための方法及びその装置に関する。
【背景技術】
【０００２】
多重ＳＩＭ無線通信は、端末により、異なる２個のネットワークサービスに接続することを可能にする。例えば、該端末は、複数のＳＩＭ（または、複数のＳＩＭカード）を含み、該複数のＳＩＭは、異なるアカウント及び／または電話番号などにそれぞれ対応する。該端末は、複数のＳＩＭに対応する複数の無線通信を駆動するために、複数のプロトコルスタックを具現することができる。該端末において、複数のプロトコルスタックがＲＦ（radio  frequency）資源を相互排他的に使用する場合、一部プロトコルスタックによる無線通信が不可避的に保留にされてしまう。
【発明の概要】
【発明が解決しようとする課題】
【０００３】
本発明が解決しようとする課題は、多重ＳＩＭ無線通信において、同時受信のための装置及びその方法を提供することである。
【課題を解決するための手段】
【０００４】
前述のような目的を達成するために、本開示の技術的思想の一側面による多重ＳＩＭ無線通信方法は、第１ＳＩＭと係わる第１無線通信の遊休又はアイドル（idle）状態において、第１ページング（paging）を受信及び処理するための第１ウィンドウを設定する段階、第１ウィンドウに基づいて、第１ページング（paging）と、第２ＳＩＭと係わる第２無線通信との衝突いかんを予測する段階、衝突予測に応答し、第１ページング及び第２無線通信の同時受信の可能性を判定する段階、及び同時受信は可能である旨の判定に応答し、第１ページング及び第２無線通信に異なる搬送波に対応する少なくとも１つのＲＦ経路をそれぞれ割り当てる段階を含んでもよい。
【０００５】
本開示の技術的思想の一側面による多重ＳＩＭ無線通信方法は、キャリアアグリゲーション（carrier  aggregation）及び／または多重接続（multi-connectivity）の構成に係わるＲＦ（radio  frequency）資源情報を獲得する段階、ＲＦ資源情報に基づいて、第１ＳＩＭと係わる第１無線通信の第１ページング、及び第２ＳＩＭと係わる第２無線通信の同時受信の可能性を判定する段階、及び同時受信は可能である旨の判定に応答し、第１ページング及び第２無線通信に異なる搬送波に対応する少なくとも１つのＲＦ経路をそれぞれ割り当てる段階を含んでもよい。
【０００６】
本開示の技術的思想の一側面によるＭＳＭＳ（multi−ＳＩＭ  multi−standby）装置は、メモリ、及びメモリに保存された命令語を実行することにより、多重ＳＩＭ無線通信方法を遂行する少なくとも１つのプロセッサを含んでもよい。
【０００７】
本開示の技術的思想の一側面による、ＭＳＭＳを支援するユーザ機器は、第１ＳＩＭ及び第２ＳＩＭ、複数の搬送波に対応する複数のＲＦ経路を形成する送受信器、及び前述の送受信器、第１ＳＩＭ及び第２ＳＩＭに連結された多重ＳＩＭ装置を含んでもよい。該多重ＳＩＭ装置は、送受信器が提供するＲＦ資源に基づいて、第１ＳＩＭと係わる第１無線通信の第１ページング、及び第２ＳＩＭと係わる第２無線通信の同時受信の可能性を判定する段階、及び同時受信は可能である旨の判定に応答し、第１ページング及び第２無線通信に、複数のＲＦ経路のうち少なくとも１つのＲＦ経路をそれぞれ割り当てる段階を遂行するようにも構成される。
【発明の効果】
【０００８】
本開示の例示的実施形態による装置及びその方法によれば、多重ＳＩＭ無線通信において、異なるＳＩＭに係わる無線通信の同時受信が可能である。
【０００９】
また、本開示の例示的実施形態による装置及びその方法によれば、多重ＳＩＭ無線通信において、端末は、ページングを、抜けなしに受信及び処理することができる。
【００１０】
また、本開示の例示的実施形態による装置及びその方法によれば、多重ＳＩＭ無線通信において、ページング受信のために、他のＳＩＭに係わる無線通信の保留が解消される。
【００１１】
また、本開示の例示的実施形態による装置及びその方法によれば、追加的なハードウェアなしにも、異なるＳＩＭに係わる無線通信の同時受信が可能である。
【００１２】
本開示の例示的実施形態で得ることができる効果は、以上で言及した効果に制限されるものではなく、言及されていない他の効果は、以下の記載から、本開示の例示的実施形態が属する技術分野において当業者に明確に導き出されて理解されるであろう。すなわち、本開示の例示的実施形態の実施による意図しえない効果も、本開示の例示的実施形態から、当該技術分野の当業者によって導き出されるであろう。
【図面の簡単な説明】
【００１３】
【図１】本開示の例示的実施形態による無線通信システムを示すブロック図である。
【図２】本開示の例示的実施形態によるプロトコルスタックシステムを示すブロック図である。
【図３Ａ】多重ＳＩＭ無線通信において、発生可能な衝突の例示を示すタイミング図である。
【図３Ｂ】多重ＳＩＭ無線通信において、発生可能な衝突の例示を示すタイミング図である。
【図３Ｃ】多重ＳＩＭ無線通信において、発生可能な衝突の例示を示すタイミング図である。
【図４】本開示の例示的実施形態による多重ＳＩＭ無線通信のための方法を示す順序図である。
【図５Ａ】本開示の例示的実施形態による同時受信の例示を示すタイミング図である。
【図５Ｂ】本開示の例示的実施形態による同時受信の例示を示すタイミング図である。
【図６】本開示の例示的実施形態による、図４の段階Ｓ１００の例示を示す順序図である。
【図７Ａ】本開示の例示的実施形態によるウィンドウの例示を示す図面である。
【図７Ｂ】本開示の例示的実施形態によるウィンドウの例示を示す図面である。
【図８】本開示の例示的実施形態による、図４の段階Ｓ３００の例示を示す順序図である。
【図９Ａ】本開示の例示的実施形態による、推定された衝突の例示を示す図面である。
【図９Ｂ】本開示の例示的実施形態による、推定された衝突の例示を示す図面である。
【図１０】本開示の例示的実施形態による、図４の段階Ｓ５００の例示を示す順序図である。
【図１１】本開示の例示的実施形態による、同時受信の可能性を判定する方法を示す順序図である。
【図１２Ａ】本開示の例示的実施形態による、同時受信の例示を示すタイミング図である。
【図１２Ｂ】本開示の例示的実施形態による、同時受信の例示を示すタイミング図である。
【図１３】本開示の例示的実施形態による、多重ＳＩＭ無線通信のための方法を示す順序図である。
【図１４】本開示の例示的実施形態による、図１の多重ＳＩＭ装置の例示を示すブロック図である。
【発明を実施するための形態】
【００１４】
図１は、本開示の例示的実施形態による無線通信システム１０を示すブロック図である。図１に図示されているように、無線通信システム１０は、第１ネットワーク２１０、第２ネットワーク２２０及びユーザ機器（ＵＥ：user  equipment）１００を含んでもよい。
【００１５】
ユーザ機器１００は、無線通信機器であり、固定されてもよいし、あるいは移動可能であってもよく、基地局２２１，２２２と無線通信し、データ及び／または制御情報を送受信することができる任意の機器を称する。例えば、ユーザ機器１００は、端末（terminal）、端末機器（terminal  equipment）、ＭＳ（mobile  station）、ＭＴ（mobile  terminal）、ＵＴ（user  terminal）、ＳＳ（subscribe  station）、無線装置（wireless  device）、携帯装置（handheld  device）などとも称される。図１に図示されているように、ユーザ機器１００は、アンテナアレイ１１０、送受信器１２０、多重ＳＩＭ（subscriber  identity  module）装置１３０、第１ＳＩＭ１４１及び第２ＳＩＭ１４２を含んでもよい。
【００１６】
例えば、基地局２１１，２２２は、ユーザ機器１００及び／または他の基地局と通信する固定局であってもよく、ユーザ機器１００及び／または他の基地局と通信することにより、データ及び制御情報を交換することができる。例えば、基地局は、Node  Ｂ、ｅＮＢ（evolved  Node  Ｂ）、ｇＮＢ（next  generation  Node  Ｂ）、セクタ（sector）、サイト（site）、ＢＴＳ（base  transceiver  system）、ＡＰ（access  point）、リレーノード（relay  node）、ＲＲＨ（remote  radio  head）、ＲＵ（radio  unit）、スモールセル（small  cell）などとも称される。本明細書において、基地局またはセルは、ＣＤＭＡ（code  division  multiple  access）でのＢＳＣ（base  station  controller）、ＷＣＤＭＡ（登録商標（wideband  code  division  multiple  access））のNode  Ｂ、ＬＴＥでのｅＮＢ、５ＧＮＲでのｇＮＢまたはセクタ（サイト）などがカバーする一部の領域または機能を示す包括的な意味にも解釈され、メガセル、マクロセル、マイクロセル、ピコセル、フェムトセル、リレーノード、ＲＲＨ、ＲＵ及びスモールセル通信範囲のような多様なカバレージ領域をいずれも包括することができる。
【００１７】
図１に図示されているように、第１基地局２１１は、第１ネットワーク２１０にも含まれ、第２基地局２２１は、第２ネットワーク２２０にも含まれる。ユーザ機器１００は、第１基地局２１１を介して、第１ネットワーク２１０に接続することができる一方、第２基地局２２１を介して、第２ネットワーク２２０に接続することができる。ユーザ機器１００は、第１ネットワーク２１０及び第２ネットワーク２２０と、任意のＲＡＴ（radio  access  technology）によって通信することができる。例えば、ユーザ機器１００は、非制限的な例示として、５Ｇ（5th  generation）システム、５Ｇ  ＮＲ（５Ｇ  new  radio）システム、ＬＴＥ（long-term  evolution）システム、ＣＤＭＡシステム、ＧＳＭ（登録商標（global  system  for  mobile  communications））システム、ＷＬＡＮ（wireless  local  area  network）システム、または他の任意のＲＡＴにより、第１ネットワーク２１０及び第２ネットワーク２２０と通信することができる。ユーザ機器１００は、一部実施形態において、同一ＲＡＴにより、第１ネットワーク２１０及び第２ネットワーク２２０と通信することもでき、一部実施形態において、異なるＲＡＴにより、第１ネットワーク２１０及び第２ネットワーク２２０と通信することもできる。
【００１８】
ユーザ機器１００は、多重ＳＩＭ無線通信をサポートすることができる。例えば、図１に図示されているように、ユーザ機器１００は、第１ネットワーク２１０に含まれた第１基地局２１１と、第１ＳＩＭ１４１と係わる第１コードレス通信１１を行うことができ、第２ネットワーク２２０に含まれた第２基地局２２１と、第２ＳＩＭ１４２と係わる第２コードレス通信１２を行うことができる。この場合における「コードレス」は「ワイヤレス」と同義に使用されてもよい。特に、２個のＳＩＭ１４１，１４２と係わる２個の無線通信を行う場合、ユーザ機器１００は、二重ＳＩＭ機器とも称される。第１コードレス通信１１及び第２コードレス通信１２は、第１接続及び第２接続とも称され、第１加入及び第２加入とも称される。また、本開示の例示的実施形態は、図１に図示されているように、２個のＳＩＭ１４１，１４２、すなわち、二重ＳＩＭ無線通信を主に参照して説明されが、本開示の例示的実施形態が３個以上のＳＩＭを含む多重ＳＩＭ無線通信にも適用可能な点は、理解されるであろう。一部実施形態において、第１コードレス通信１１及び第２コードレス通信１２は、ユーザ機器１００、及び同一基地局間にも形成される。例えば、ユーザ機器１００は、図１の無線通信１２’及び第１コードレス通信１１を基地局２１０と行うことができる。
【００１９】
一部実施形態において、ユーザ機器１００は、ＭＳＭＳ（multi−ＳＩＭ  multi−standby）を支援することができる。すなわち、ユーザ機器１００において送受信器１２０が提供するＲＦ資源は、第１ＳＩＭ１４１及び第２ＳＩＭ１４２によっても共有される。それにより、図３Ａないし図３Ｃを参照して後述されるように、第１コードレス通信１１及び第２コードレス通信１２が、送受信器１２０を相互排他的に使用する場合、第１コードレス通信１１及び第２コードレス通信１２のうち一つは、保留（suspend）にされる。例えば、第１コードレス通信１１が、遊休（idle）状態である場合、第１基地局２１１は、周期的にページング（paging）（本明細書において、第１ページングとも称される）を送信することができ、そのようなページングは、ＭＴコール（call）に係わるものであり、高い優先順位を有することができる。後述されるように、異なる優先順位を有する無線通信が衝突すると予測され、無線通信を同時に受信する方法がない場合、高い優先順位を有する無線通信が許容され、低い優先順位を有する無線通信は、衝突期間の間、保留にされる。
【００２０】
第１ページングを有効に受信して処理するために、ユーザ機器１００において、第２コードレス通信１２が保留にされる場合、第２ネットワーク２２０との通信効率が低下してしまう。さらに、第２ネットワーク２２０（または、第２基地局２２１）は、第２コードレス通信１２の保留が、第２コードレス通信１２の良好ではないチャネル状態によるものであると認識することができ、結果として、第２ネットワーク２２０との通信効率が顕著に低下してしまう。また、第２コードレス通信１２も、遊休状態である場合、第１ページング及び第２基地局２２１から送信されるページング（本明細書において、第２ページングとも称される）のうち一つだけが有効に受信される場合が発生する。ユーザ機器１００に含まれた多重ＳＩＭ装置（または、ＭＳＭＳ装置）１３０は、図４などを参照して後述されるように、追加的なハードウェアなしに、すなわち、送受信器１２０の変更なしに、第１コードレス通信１１及び第２コードレス通信１２の同時受信が可能になり、結果として、第１ネットワーク２１０及び第２ネットワーク２２０のシグナリングを落とさずに、両者いずれも通信効率を向上させることができる。
【００２１】
アンテナアレイ１１０は、少なくとも１つのアンテナを含んでもよく、第１基地局２１１及び第２基地局２２１からＲＦ信号を受信したり、第１基地局２１１及び第２基地局２２１にＲＦ信号を送信したりすることができる。一部実施形態において、アンテナアレイ１１０は、ＭＩＭＯのために複数のアンテナを含んでもよい。
【００２２】
送受信器１２０は、アンテナアレイ１１０及び多重ＳＩＭ装置１３０と連結（couple）されたハードウェアであり、無線通信のためのＲＦ資源を提供することができる。例えば、送受信器１２０は、アンテナアレイ１１０から受信されるＲＦ信号を処理することにより、ベースバンド信号として、受信信号ＲＸを多重ＳＩＭ装置１３０に提供することもでき、ベースバンド信号として、送信信号ＴＸを処理することにより、ＲＦ信号をアンテナアレイ１１０に提供することもできる。送受信器１２０は、多重ＳＩＭ装置１３０によっても制御され、非制限的な例示として、スイッチ、マッチング回路、フィルタ、増幅器、ミキサなどを含んでもよい。
【００２３】
一部実施形態において、送受信器１２０は、複数の搬送波を使用するキャリアアグリゲーション（ＣＡ：carrier  aggregation）を支援することができる。例えば、ユーザ機器１００は、第１基地局２１１及び／または第２基地局２２１と、コンポーネントキャリア（ＣＣ：component  carrier）とそれぞれ称される２以上の搬送波を同時に使用し、データを伝送したり受信したりすることができる。送受信器１２０は、キャリアアグリゲーションに使用されるコンポーネントキャリアに対応するＲＦ経路を形成することができ、該ＲＦ経路を介して送受信される信号を処理することができる。例えば、送受信器１２０は、コンポーネントキャリアにそれぞれ対応するｎ個の受信経路１２２−１ないし１２２−ｎを含んでもよい（ｎは、１より大きい整数）。ｎ個の受信経路１２２−１ないし１２２−ｎそれぞれは、低ノイズ増幅器、及び他の構成要素を含んでもよい。ｎ個の受信経路１２２−１ないし１２２−ｎそれぞれは、対応するコンポーネントキャリア（ＣＣ）を中心にする周波数帯域に係わる信号を受信することができる。類似して、送受信器１２０は、コンポーネントキャリアにそれぞれ対応するｎ個の送信経路１２２−１ないし１２２−ｎを含んでもよい。一部実施形態において、受信経路のうち少なくとも一部は、回路及び部分経路を共有することもできる。例えば、第１受信経路１２２−１及び第２受信経路１２２−ｎは、同一低ノイズ増幅器を使用することができる一方、帯域通過フィルタのための別個の経路を有することができる。
【００２４】
一部実施形態において、送受信器１２０は、多重接続（ＭＣ：multi-connectivity）を支援することができ、それにより、相互独立的な複数のＲＦ経路を形成することもできる。本明細書において、多重接続（ＭＣ）は、ユーザ機器１００とのデータ通信が、異なる基地局及び／またはネットワークと行われるということを称する。例えば、多重接続（ＭＣ）を使用する場合、音声あるいはデータコールのようなデータ通信の第１部分は、第１基地局とも交換され、データ通信の第２部分は、第２基地局とも交換され、データ通信の第１部分及び第２部分は、重複データを含んでもよいし、含まなくともよい。ユーザ機器１００は、２個の基地局から受信されたデータを結合することができる。多重接続（ＭＣ）により、第１基地局とのデータ通信に使用された第１周波数帯域は、第２基地局とのデータ通信に使用された第２周波数帯域と顕著に異なっていてもよい。例えば、第１基地局は、６ＧＨｚ未満の周波数帯域を使用することができる一方、第２基地局は、ミリメートル波（ｍｍ  wave）、例えば、３０ＧＨｚ以上の周波数帯域を使用することができる。また、第２基地局によって使用される第２周波数帯域は、第１基地局で使用される第１周波数帯域の３倍以上広くてもよい。多重接続（ＭＣ）の場合に、送受信器１２０が、相互独立的な２個のＲＦ経路を形成する場合、送受信器１２０は、二重接続（ＤＣ：dual  connectivity）をサポートしてもよい。そのように、送受信器１２０は、ＲＦ経路（例えば、１２２−１ないし１２２−ｎ）をＲＦ資源として提供することができる。
【００２５】
多重ＳＩＭ装置１３０は、送受信器１２０と、ベースバンド信号ＲＸ，ＴＸを介して通信することができ、第１ＳＩＭ１４１及び第２ＳＩＭ１４２と結合することができる。第１ＳＩＭ１４１は、第１コードレス通信１１により、第１ネットワーク２１０に接続するための情報を含んでもよく、第２ＳＩＭ１４２は、第２コードレス通信１２により、第２ネットワーク２２０に接続するための情報を含んでもよい。図２を参照して後述されるように、多重ＳＩＭ装置１３０は、第１ＳＩＭ１４１に係わる接続、及び第２ＳＩＭ１４２に係わる接続を処理するための構造（architecture）を有することができる。また、図４などを参照して後述されるように、多重ＳＩＭ装置１３０は、ハードウェア構成、すなわち、送受信器１２０が提供するＲＦ資源に基づいて、第１コードレス通信１１及び第２コードレス通信１２の同時受信の可能性を判定することができる。多重ＳＩＭ装置１３０は、同時受信可能の判定時、送受信器１２０を制御することにより、第１コードレス通信１１及び第２コードレス通信１２に、少なくとも１つのＲＦ経路をそれぞれ割り当てることができる。一部実施形態において、多重ＳＩＭ装置１３０は、論理合成を介して設計されるハードウェアブロック、一連の命令語（instructions）を含むソフトウェアブロックと、一連の命令語を実行する少なくとも１つのプロセッサを含むプロセッシングユニット、及びそれらの組み合わせを含んでもよい。一部実施形態において、多重ＳＩＭ装置１３０は、モデムまたはベースバンドプロセッサとも称される。
【００２６】
図２は、本開示の例示的実施形態によるプロトコルスタックシステム２０を示すブロック図である。具体的には、図２は、プロトコルスタックシステム２０に含まれた第１プロトコルスタック２１及び第２プロトコルスタック２２の制御プレーン（control  plane）を示す。一部実施形態において、図２のプロトコルスタックシステム２０は、図１の多重ＳＩＭ装置１３０によっても具現され、多重ＳＩＭ装置１３０は、図２のプロトコルスタックシステム２０により、無線通信のための動作を遂行することができる。図２に図示されたブロックのうち少なくとも一部は、一部実施形態において、ハードウェアロジックによっても具現され、一部実施形態において、少なくとも１つのプロセッサによって実行されるソフトウェアモジュールによっても具現される。以下において、図２は、図１を参照して説明される。
【００２７】
図２を参照すれば、プロトコルスタックシステム２０は、第１ＳＩＭ１４１及び第２ＳＩＭ１４２とそれぞれ係わる第１プロトコルスタック２１及び第２プロトコルスタック２２を含んでもよい。図１を参照して説明されたように、第１プロトコルスタック２１及び第２プロトコルスタック２２それぞれは、任意のＲＡＴを支援することができる。一部実施形態において、第１プロトコルスタック２１及び第２プロトコルスタック２２は、共有された上位階層、例えば、アプリケーション階層と相互作用することができ、該上位階層は、第１コードレス通信１１及び第２コードレス通信１２に係わる情報を獲得したり、コマンドを提供するプログラムに係わるインターフェースを提供したりすることができる。該上位階層は、多重ＳＩＭ装置１３０によっても具現され、多重ＳＩＭ装置１３０と分離された他の装置によっても具現される。また、プロトコルスタックシステム２０は、第１プロトコルスタック２１及び第２プロトコルスタック２２によって共有されたハードウェアインターフェース２４を含んでもよい。ハードウェアインターフェース２４は、ハードウェア、すなわち、図１の送受信器１２０に係わるインターフェースを提供することができ、第１プロトコルスタック２１及び第２プロトコルスタック２２は、ハードウェアインターフェース２４を介して、送受信器１２０に信号を提供したり、送受信器１２０から獲得したりすることができる。一部実施形態において、ハードウェアインターフェース２４は、送受信器１２０のドライバとも称される。
【００２８】
制御プレーンのための第１プロトコルスタック２１及び第２プロトコルスタック２２それぞれは、複数の階層を含んでもよい。図２に図示されているように、第１プロトコルスタック２１は、第１階層Ｌ１、第２階層Ｌ２及び第３階層Ｌ３を含んでもよく、第１階層Ｌ１、第２階層Ｌ２及び第３階層Ｌ３は、ＯＳＩ（open  system  interconnection）モデルの下位３層階層に対応する。例えば、ＬＴＥまたは５ＧＮＲなどにおいて、ＰＨＹ（physical）階層は、第１階層Ｌ１にも含まれ、ＭＡＣ（media  access  control）階層、ＲＬＣ（radio  link  control）階層及びＰＤＣＰ（packet  data  convergence  protocol）階層は、第２階層Ｌ２にも含まれ、ＲＲＣ（radio  resource  control）階層及びＮＡＳ（non-access  stratum）階層は、第３階層Ｌ３にも含まれる。第２プロトコルスタック２２また第１プロトコルスタック２１と類似し、第１階層Ｌ１、第２階層Ｌ２及び第３階層Ｌ３を含んでもよい。
【００２９】
後述されるように、ＲＲＣ階層及びＲＲＣ遊休状態と係わるユーザ機器１００によって遂行されるように説明される動作は、多重ＳＩＭ装置１３０によっても遂行され、多重ＳＩＭ装置１３０は、そのような動作を遂行するためにメモリから読み取られた命令語を実行するプロセッサを含んでもよい。ユーザ機器１００のＲＲＣ階層は、多重ＳＩＭ装置１３０のＲＲＣ階層とも称される。第３階層Ｌ３のＲＲＣ階層は、無線資源（radio  resource）を制御することができ、ＲＲＣメッセージを、例えば、基地局２１１，２２１のＲＲＣ階層と交換することができる。ユーザ機器１００（または、多重ＳＩＭ装置１３０）のＲＲＣ階層、及び、例えば、基地局２１１，２２１）のＲＲＣ階層の間でＲＲＣ接続が成立される場合、ユーザ機器１００（または、多重ＳＩＭ装置１３０）は、ＲＲＣ接続状態（ＲＲＣ  connected  state）（または、ＲＲＣ接続モード）にも転換される。他方、ＲＲＣ接続が解除される場合、ユーザ機器１００（または、多重ＳＩＭ装置１３０）は、ＲＲＣ遊休状態（ＲＲＣ  idle  state）（または、ＲＲＣ遊休モード）にも転換される。本明細書において、ＲＲＣ接続状態は、無線通信の接続状態とも称される一方、ＲＲＣ遊休状態は、無線通信の遊休状態とも称される。例えば、第１プロトコルスタック２１に含まれたＲＲＣ階層により、ＲＲＣ接続状態が維持される場合、第１コードレス通信１１は、接続状態にあるとも称される一方、第１プロトコルスタック２１に含まれたＲＲＣ階層により、ＲＲＣ遊休状態が維持される場合、第１コードレス通信１１は、遊休状態にあるとも称される。類似して、第２コードレス通信１２も、第２プロトコルスタック２２に含まれたＲＲＣ階層により、接続状態あるいは遊休状態にあるとも称される。
【００３０】
ＲＲＣ遊休状態において、例えば、基地局２１１，２２１は、周期的にページングを送信することができる。該基地局は、ユーザ機器１００のためにページングが伝送される時点、すなわち、ページング機会（paging  occasion）に係わる情報を、ユーザ機器１００に提供することができる。ユーザ機器１００（または、多重ＳＩＭ装置１３０）は、ページングをモニタリングすることにより、自身の識別子（identifier）が含まれたページングが受信されたか否かということをチェックすることができる。ユーザ機器１００（または、多重ＳＩＭ装置１３０）は、ＲＲＣ遊休状態において、消費電力を低減させるために、ページング機会に対応する区間でのみパケットを受信して処理することができる。図１を参照して説明されたように、ＲＲＣ遊休状態で送信されるページングは、高い優先順位を有することができる。以下、図３Ａないし図３Ｃを参照し、多重ＳＩＭ無線通信において、１つのＳＩＭに係わるページングと、他のＳＩＭに係わる無線通信との衝突が発生する例示について説明する。
【００３１】
衝突ハンドラ２３は、第１プロトコルスタック２１による第１コードレス通信１１と、第２プロトコルスタック２２による第２コードレス通信１２との衝突を推定することができ、衝突が推定された場合、第１コードレス通信１１及び第２コードレス通信１２の同時受信が可能であるか否かということを判定することができる。例えば、衝突ハンドラ２３は、第１プロトコルスタック２１の第１階層Ｌ１、及び第２プロトコルスタック２２の第２階層Ｌ２から提供される情報に基づいて、第１コードレス通信１１と第２コードレス通信１２との衝突を推定することができる。衝突推定時、衝突ハンドラ２３は、ハードウェアインターフェース２４から提供される情報に基づいて、第１コードレス通信１１及び第２コードレス通信１２の同時受信が可能であるか否かということを判定することができる。また、衝突ハンドラ２３は、同時受信が可能であると判定された場合、第１コードレス通信１１及び第２コードレス通信１２の同時受信のために、ハードウェアインターフェース２４を介して、ハードウェア、すなわち、送受信器１２０を設定することができる。衝突ハンドラ２３は、一部実施形態において、図１４を参照して後述されるように、少なくとも１つのプロセッサによって実行されるソフトウェアモジュールとしてもメモリに保存され、一部実施形態において、論理合成によって設計されるハードウェアモジュールでもある。
【００３２】
図３Ａないし図３Ｃは、多重ＳＩＭ無線通信で発生可能な衝突の例示を示すタイミング図である。また、図３Ａないし図３Ｃは、本開示の例示的実施形態により、ページング、あるいは他の通信（例えば、ＣＤＲＸ（connected  discontinuous  ＲＸ）のオン期間）のために指定されたスロット以前、その間及びその後を示す。そのような時間区間は、通信の保留（suspension）を回避するために、衝突を予測するためのウィンドウの設定にも使用される。例えば、図３Ａは、遊休状態である第１無線通信と、第２無線通信との衝突の例示を示し、図３Ｂは遊休状態である第１無線通信と、接続状態である第２無線通信との衝突例示を示し、図３Ｃは、遊休状態である第１無線通信と、ＣＤＲＸ状態である第２無線通信との衝突例示を示す。図３Ａないし図３Ｃにおいて、第１無線通信及び第２無線通信は、図１の第１コードレス通信１１及び第２コードレス通信１２であると仮定され、図３Ａないし図３Ｃは、図１を参照して説明される。図３Ａないし図３Ｃに係わる説明において、重複内容は、省略される。
【００３３】
多重ＳＩＭ無線通信において、異なるＳＩＭにそれぞれ対応する無線通信間の衝突は、ＲＦ資源が、無線通信によって相互排他的に占有（occupy）されるとき、２以上の無線通信が、同一時点でＲＦ資源を占有する状況を称することができる。例えば、ＭＳＭＳまたはＤＳＤＳにおいては、１つのＳＩＭに係わる無線通信がＲＦ資源を占有することができ、ＳＩＭに対応するプロトコルスタックが遂行しようとするプロセスの優先順位により、ＲＦ資源が当該プロトコルスタックに先に割り当てられる。それにより、高い優先順位を有する動作、例えば、第１コードレス通信１１の第１ページングが、他の無線通信、例えば、第２コードレス通信１２と衝突する場合、第２コードレス通信１２の受信動作は、第１ページを受信して処理する間、保留にされる。
【００３４】
図３Ａを参照すれば、第１コードレス通信１１及び第２コードレス通信１２がいずれも遊休状態である場合、第１コードレス通信１１の第１ページング、及び第２コードレス通信１２の第２ページングが衝突してしまう。図３Ａの上端に図示されているように、第１ページングの受信前、第１ページングを受信するために、区間ＴＰＲＥ１の間、ハードウェア、例えば、送受信器１２０及び／または多重ＳＩＭ装置１３０が設定される。例えば、送受信器１２０は、区間ＴＰＲＥ１の間、第１ページング受信のための少なくとも１つのＲＦ経路を形成することができ、かつ／または多重ＳＩＭ装置１３０は、送受信器１２０から提供される受信信号ＲＸを処理するためのパラメータなどの設定を行うことができる。その次に、区間ＴＰＧ１の間、第１ページングが受信され、受信された第１ページングの処理、例えば、復調、デコーディング、ＲＲＣ階層でのページングメッセージ処理などが、区間ＴＰＯＳＴ１の間、遂行される。それにより、ユーザ機器１００において、第１ページングを受信して処理するのに所要する区間は、「ＴＰＲＥ１＋ＴＰＧ１＋ＴＰＯＳＴ１」に対応する。類似して、第２コードレス通信１２の第２ページングを受信して処理する区間は、「ＴＰＲＥ２＋ＴＰＧ２＋ＴＰＯＳＴ２」に対応する。
【００３５】
本明細書において、ページングを受信して処理するための区間は、ページングウィンドウとも称され、第１ページングを受信して処理するための区間は、第１ページングウィンドウ、第２ページングを受信して処理するための区間は、第２ページングウィンドウともそれぞれ称される。また、区間ＴＰＲＥ１のように、ページングウィンドウにおいて、ページングを受信する前に要求される区間は、前処理（pre-processing）区間とも称され、区間ＴＰＧ１のように、ページングを受信する区間は、ページング受信区間または受信区間とも称され、区間ＴＰＯＳＴ１のように、ページングを受信した後で要求される区間は、後処理（post-processing）区間とも称される。それにより、該ページングウィンドウは、前処理区間、受信区間及び後処理区間を含んでもよい。
【００３６】
当該の第１ページングと第２ページングとの衝突は、第１ページングウィンドウ及び第２ページングウィンドウが時間軸で重畳する場合に発生する。当該の第１ページングウィンドウ及び第２ページングウィンドウが重畳する場合、第１ページング及び第２ページングのうち一つだけが有効に受信されて処理される。それにより、図３Ａに図示されているように、第１ページングが先に受信されて処理され、その次に、第２ページングが受信されて処理される。結果として、第１ページングまたは第２ページングの抜け落ちが発生してしまう。
【００３７】
図３Ｂを参照すれば、第１コードレス通信１１が遊休状態であり、第２コードレス通信１２が接続状態である場合、第１コードレス通信１１の第１ページング、及び第２コードレス通信１２のデータ受信が衝突しうる。すなわち、第２コードレス通信１２を介してデータを受信する間、第１ページングが発生する場合、第１コードレス通信１１と第２コードレス通信１２との衝突が発生しうる。第１ページングの高い優先順位に起因し、図３Ｂに図示されているように、第１ページングを受信して処理するための区間、すなわち、第１ページングウィンドウにおいて、第２コードレス通信１２を介したデータの受信は、保留にされ、第１ページングウィンドウが終わった後、第２コードレス通信１２を介したデータの受信が再開される。結果として、第２コードレス通信１２のデータ伝送量（throughput）が減少し、特に、例えば、基地局２２１をして、チャネルコンディションが良好ではないと認識させることにより、基地局がデータ速度を遅くするために、データ送信を調節し、それにより、データ伝送量の減少が加重される。
【００３８】
図３Ｃを参照すれば、第１コードレス通信１１が遊休状態であり、第２コードレス通信１２がＣＤＲＸ状態である場合、第１コードレス通信１１の第１ページングと、第２コードレス通信１２のオン期間（on-duration）とが衝突しうる。ユーザ機器１００は、ＣＤＲＸ状態において、接続状態を維持しながらも、例えば、基地局２１１，２２１から提供されるＣＤＲＸ情報により、電力消費を減らすことができる。例えば、該基地局は、ＣＤＲＸのために、ユーザ機器１００がデータを受信する区間に対応するオン期間のタイミング及び期間を、ＣＤＲＸ情報として提供することができる。図３Ｃの下端に図示されているように、オン期間前、データ受信のために、区間ＴＰＲＥ２の間、ハードウェア、例えば、送受信器１２０及び／または多重ＳＩＭ装置１３０が設定される。その次に、区間ＴＯＮ２の間、オン期間が維持され、該オン期間に受信されたデータの処理が、区間ＴＰＯＳＴ２の間、行われる。それにより、ユーザ機器１００において、第２コードレス通信１２のオン期間の間、データを受信して処理するのに所要される必区間は、「ＴＰＲＥ２＋ＴＯＮ２＋ＴＰＯＳＴ２」に対応する。図３Ｃの区間ＴＰＲＥ２及び区間ＴＰＯＳＴ２は、一部実施形態において、図３Ａの区間ＴＰＲＥ２、及び区間ＴＰＯＳＴ２とそれぞれ同一であってもよく、一部実施形態において、図３Ａの区間ＴＰＲＥ２及び区間ＴＰＯＳＴ２とそれぞれ異なっていてもよい。
【００３９】
本明細書において、ＣＤＲＸ状態において、オン期間においてデータを受信して処理するための区間は、ＣＤＲＸウィンドウとも称される。また、第１コードレス通信１１と係わるウィンドウ、例えば、第１ページングウィンドウ及び第１ＣＤＲＸウィンドウは、総括的に、第１ウィンドウとも称される一方、第２コードレス通信１２と係わるウィンドウ、例えば、第２ページングウィンドウ及び第２ＣＤＲＸウィンドウは、総括的に第２ウィンドウとも称される。
【００４０】
第１ページング及び第２オン期間の間、衝突は、第１ページングウィンドウ及び第２ＣＤＲＸウィンドウが時間軸で重畳する場合に発生しうる。第１ページングウィンドウ及び第２ＣＤＲＸウィンドウが重畳する場合、第１ページング及び第２コードレス通信１２のオン期間のうち一つだけが有効に処理される。それにより、図３Ｃに図示されているように、第１ページングが先に受信されて処理され、その次に、第２コードレス通信１２のオン期間において、データが受信されて処理される。結果として、第１ページングまたは第２コードレス通信１２のオン期間の抜け落ちが発生しうる。
【００４１】
図４は、本開示の例示的実施形態による、多重ＳＩＭ無線通信のための方法を示す順序図である。例えば、図４の方法は、図１の多重ＳＩＭ装置１３０（または、図２の衝突ハンドラ２３）によって遂行され、以下において、図４は、図１を参照して説明される。
【００４２】
段階Ｓ１００において、ウィンドウを設定する動作が遂行される。図３Ａないし図３Ｃを参照して説明されたように、該ウィンドウは、ページングを受信して処理するためのページングウィンドウとも称され、遊休状態において、オン期間においてデータを受信して処理するためのＣＤＲＸウィンドウとも称される。該ウィンドウは、ページングまたはデータを受信する区間だけではなく、前処理区間及び後処理区間を含んでもよい。例えば、多重ＳＩＭ装置１３０は、第１ＳＩＭ１４１に係わる第１コードレス通信１１の第１ウィンドウとして、第１ページングウィンドウ及び第１ＣＤＲＸウィンドウを設定することができ、第２ＳＩＭ１４２に係わる第２コードレス通信１２の第２ウィンドウとして、第２ページングウィンドウ及び第２ＣＤＲＸウィンドウを設定することができる。
【００４３】
一部実施形態において、多重ＳＩＭ装置１３０は、並列処理能を有することができ、２以上の通信からのデータを同時に後処理することができる。その場合、ウィンドウ重畳を考慮するとき、後処理時間は、非常に短い時間区間において、効果的に短縮されたり無視されたりする。すなわち、多重ＳＩＭ装置１３０による効果的な並列処理に起因し、ウィンドウ長は、例えば、前処理区間ＴＰＲＥ１及び、例えば、受信区間ＴＰＧ１の和に基づいても設定される。
【００４４】
段階Ｓ３００において、第１コードレス通信１１と第２コードレス通信１２との衝突いかんを予測する動作が遂行される。例えば、多重ＳＩＭ装置１３０は、段階Ｓ１００で設定されたウィンドウに基づいて、衝突または非衝突を予測することができる。多重ＳＩＭ装置１３０は、第１コードレス通信１１の第１ウィンドウ、及び第２コードレス通信１２の第２ウィンドウが重畳する場合、衝突を予測することができる一方、そうではない場合、非衝突を予測することができる。また、第１ウィンドウが、第２コードレス通信１２のデータ受信区間と重畳するか、あるいは第２ウィンドウが、第１コードレス通信１１のデータ受信区間と重畳する場合、多重ＳＩＭ装置１３０は、衝突を予測することができる。図４に図示されているように、衝突予測時、段階Ｓ５００が後続して遂行される一方、非衝突予測時、図４の方法は、終了する。段階Ｓ３００の例示は、図８を参照して後述される。
【００４５】
段階Ｓ５００において、同時受信の可能性を判定する動作が遂行される。段階Ｓ３００において、非衝突予測時の場合と異なるように、段階Ｓ３００において、衝突予測時、第１コードレス通信１１及び第２コードレス通信１２の同時受信の可能性が判断される。例えば、多重ＳＩＭ装置１３０は、ハードウェア構成、例えば、送受信器１２０が提供するＲＦ資源に基づいて、同時受信の可能性を判定することができる。一部実施形態において、送受信器１２０のキャリアアグリゲーション（ＣＡ）及び／または多重接続（ＭＣ）のサポートいかん、そして現在送受信器１２０が提供するキャリアアグリゲーション（ＣＡ）及び／または多重接続（ＭＣ）の構成などに基づいて、同時受信の可能性を判定することができる。図４に図示されているように、同時受信は可能である旨の判定に応じて、段階Ｓ７００が後続して遂行される一方、同時受信は不可能である旨の判定に応じて、段階Ｓ９００が後続して遂行される。段階Ｓ５００の例示は、図１０を参照して後述される。
【００４６】
段階Ｓ７００において、ＲＦ経路を割り当てる動作が遂行される。段階Ｓ５００において、同時受信が可能であると判定される場合、同時受信のために、無線通信にＲＦ経路を割り当てる動作が遂行される。例えば、多重ＳＩＭ装置１３０は、送受信器１２０が、キャリアアグリゲーション（ＣＡ）を支援する場合、少なくとも１つのコンポーネントキャリアを、第１コードレス通信１１及び第２コードレス通信１２にそれぞれ割り当てることができる。それにより、第１コードレス通信１１及び第２コードレス通信１２それぞれは、少なくとも１つのコンポーネントキャリアによって形成されるＲＦ経路を介して、送受信器１２０によって処理され、処理された信号が、有効に多重ＳＩＭ装置１３０に提供される。また、多重ＳＩＭ装置１３０は、送受信器１２０が多重接続（ＭＣ）を支援する場合、第１コードレス通信１１及び第２コードレス通信１２に異なる２個の接続をそれぞれ割り当てることができる。
【００４７】
段階Ｓ９００において、一部無線通信を保留する動作が遂行される。段階Ｓ５００において、同時受信が不可能であると判定される場合、相対的に低い優先順位を有する無線通信（例えば、図３Ｂの第２コードレス通信）を保留する動作が遂行される。保留にされた無線通信は、相対的に高い優先順位を有する無線通信において、受信及び処理の動作が完了した後にも再開される。
【００４８】
図５Ａ及び図５Ｂは、本開示の例示的実施形態による、同時受信の例示を示すタイミング図である。具体的には、図５Ａは、遊休状態である第１無線通信及び第２無線通信の同時受信を示し、図５Ｂは、遊休状態である第１無線通信、及びＣＤＲＸ状態であるか、あるいは接続状態である第２無線通信の同時受信を示す。図３Ａないし図３Ｃを参照して説明された例示と異なり、図４の方法により、第１無線通信及び第２無線通信は、同時受信され、それにより、多重ＳＩＭ通信の通信効率が改善される。図５Ａ及び図５Ｂにおいて、第１無線通信及び第２無線通信は、図１の第１コードレス通信１１及び第２コードレス通信１２であると仮定され、図５Ａ及び図５Ｂは、図１を参照して説明される。図５Ａ及び図５Ｂに係わる説明において、重複内容は、省略される。
【００４９】
図５Ａを参照すれば、第１コードレス通信１１及び第２コードレス通信１２がいずれも遊休状態である場合、第１コードレス通信１１の第１ページング、及び第２コードレス通信１２の第２ページングは、同時に受信される。例えば、図５Ａに図示されているように、第１ページングを受信する区間ＴＰＧ１、及び第２ページングを受信する区間ＴＰＧ２が重畳する場合にも、第１ページング及び第２ページングは、有効に受信されて処理される。また、図５Ａに図示されているものと異なり、第１ページングの前処理区間及び／または後処理区間が、第２ページングの前処理区間及び／または後処理区間と重畳する場合にも、第１ページング及び第２ページングは、有効に受信されて処理される。
【００５０】
図５Ｂを参照すれば、第１コードレス通信１１が遊休状態であり、第２コードレス通信１２が、ＣＤＲＸ状態であるか、あるいは接続状態である場合、第１ページング及び第２コードレス通信１２を介したデータは、同時に受信される。例えば、図５Ｂに図示されているように、第１ページングを受信する区間ＴＰＧ１が、第２コードレス通信１２を介してデータを受信する区間と重畳する場合にも、第１ページング及び第２コードレス通信１２を介したデータは、同時に受信される。また、図５Ｂに図示されているものと異なり、第１ページングの前処理区間及び／または後処理区間が、第２コードレス通信１２を介したデータの受信及び処理のための前処理区間、受信区間及び／または後処理区間と重畳する場合にも、第１ページング及び第２コードレス通信１２を介したデータは、同時に受信される。
【００５１】
図６は、本開示の例示的実施形態による、図４の段階Ｓ１００の例示を示す順序図であり、図７Ａ及び図７Ｂは、本開示の例示的実施形態によるウィンドウの例示を示す図面である。図４を参照して説明されたように、図６の段階Ｓ１００’において、ウィンドウを設定する動作が遂行される。以下において、図６、図７Ａ及び図７Ｂは、図１及び図４を参照して説明される。
【００５２】
図６を参照すれば、段階Ｓ１００’は、複数の段階（段階Ｓ１２０，Ｓ１４０，Ｓ１６０）を含んでもよい。段階Ｓ１２０において、期間情報を獲得する動作が遂行される。該期間情報は、前処理区間、受信区間及び後処理区間に係わる情報を含んでもよい。例えば、多重ＳＩＭ装置１３０は、送受信器１２０の特性に依存する前処理区間に係わる情報を獲得することができる。多重ＳＩＭ装置１３０は、前処理区間に係わる情報を、一部実施形態において、送受信器１２０から受信することもでき、一部実施形態において、前処理区間に係わる情報を保存するメモリから読み取ることもできる。一部実施形態において、多重ＳＩＭ装置１３０は、複数の送受信器に対応する前処理区間に係わる情報を保存するメモリにアクセスすることができ、送受信器１２０から提供された送受信器１２０の識別子により、複数の前処理区間のうち一つに係わる情報を、メモリから読み取ることもできる。一部実施形態において、多重ＳＩＭ装置１３０は、前処理区間を、一部マージンを含む固定された値として、送受信器１２０に独立して使用することもできる。
【００５３】
多重ＳＩＭ装置１３０は、ＲＡＴによって定義されるページングの受信区間に係わる情報を獲得することができる。例えば、ＬＴＥ及び５ＧＮＲなどにおいて、該ページングは、サブフレーム（sub-frame）において伝達することができ、それにより、ページングの受信区間は、近似的に１ｍｓに対応する。
【００５４】
多重ＳＩＭ装置１３０は、送受信器１２０の特性及び／またはプロトコルスタックの性能に依存する後処理区間に係わる情報を獲得することができる。受信区間の間に受信されたページングまたは信号は、送受信器１２０によって処理され、多重ＳＩＭ装置１３０は、送受信器１２０から提供される受信信号ＲＸを処理することができる。例えば、ページングが受信された場合、ページングメッセージは、第３階層Ｌ３に含まれたＲＲＣ階層で最終的に処理され、それにより、下位階層からＲＲＣ階層までページングメッセージが処理されるのに所要される時間が、後処理区間にも含まれる。一部実施形態において、多重ＳＩＭ装置１３０は、受信対象に依存する後処理区間に係わる情報を獲得することができる。一部実施形態において、多重ＳＩＭ装置１３０は、複数の後処理区間を保存するメモリから、１つの後処理区間に係わる情報を読み取ることもできる。また、一部実施形態において、多重ＳＩＭ装置１３０は、受信区間を、一部マージンを含む固定された値として使用することもできる。
【００５５】
段階Ｓ１４０において、タイミング情報を獲得する動作が遂行される。タイミング情報は、ウィンドウの発生時点に係わる情報を含んでもよい。例えば、基地局２１１，２２１は、ユーザ機器１００に、ページング機会に係わる情報として、ページングフレーム（ＰＦ：paging  frame）及びページングオフセット（ＰＯ：paging  offset）を提供することができる。例えば、ＬＴＥ及び５ＧＮＲなどにおいて、フレームは、１０ｍｓの長さを有することができ、１ｍｓの長さを有する１０個のサブフレームを含んでもよく、ページング機会は、１個のサブフレーム、すなわち、１ｍｓ区間にも限定される。ページングフレーム（ＰＦ）は、ページング機会に対応するフレームを示すことができ、ページングオフセット（ＰＯ）は、フレームに含まれた１０個のサブフレームのうちいずれのサブフレームであるかということに基づいて、ページングが伝達されるか否かということ示すことができる。多重ＳＩＭ装置１３０は、ページングフレーム（ＰＦ）及びページングオフセット（ＰＯ）をウィンドウのタイミング情報として獲得することができ、それにより、ウィンドウの発生時点を判定することができる。
【００５６】
段階Ｓ１４０において、ウィンドウを定義する動作が遂行される。該ウィンドウは、段階Ｓ１２０で獲得された期間情報、及び段階Ｓ１４０で獲得されたタイミング情報に基づいても定義される。例えば、図７Ａに図示されているように、ページングを受信するためのページングウィンドウは、期間情報に基づいて、前処理区間ＴＰＲＥ、ページングの受信区間ＴＰＧ及び後処理区間ＴＰＯＳＴを含む長さを有するとも定義され、タイミング情報に基づいて、時点ｔＰＧで始まるとも定義される。また、図７Ｂに図示されているように、ＣＤＲＸ状態において、オン期間にデータを受信して処理するためのＣＤＲＸウィンドウは、期間情報に基づいて、前処理区間ＴＰＲＥ、オン期間に対応する受信区間ＴＯＮ、及び後処理区間ＴＰＯＳＴを含む長さを有するとも定義され、タイミング情報に基づいて、時点ｔＯＮで始まるとも定義される。一部実施形態において、図７Ａの前処理区間ＴＰＲＥ、及び図７Ｂの前処理区間ＴＰＲＥは、同一長を有することができ、図７Ａの後処理区間ＴＰＯＳＴ、及び図７Ｂの後処理区間ＴＰＯＳＴは、同一長を有することができる。
【００５７】
図８は、本開示の例示的実施形態による、図４の段階Ｓ３００の例示を示す順序図であり、図９Ａ及び図９Ｂは、本開示の例示的実施形態による、推定された衝突の例示を示す図面である。図４を参照して説明されたように、図８の段階Ｓ３００’において、多重ＳＩＭ無線通信において、無線通信間、衝突いかんを予測する動作が遂行される。具体的には、図８の段階Ｓ３００’は、図１の第１ＳＩＭ  １４１及び第２ＳＩＭ  １４２にそれぞれ対応する第１コードレス通信１１と第２コードレス通信１２との衝突いかんを予測する動作を示し、図８において、第１コードレス通信１１は、遊休状態にあると仮定される。以下において、図８、図９Ａ及び図９Ｂは、図１及び図４を参照して説明される。
【００５８】
図８を参照すれば、段階Ｓ３００’は、複数の段階（段階Ｓ３１０，Ｓ３３０，Ｓ３５０，Ｓ３７０，Ｓ３９０）を含んでもよい。段階Ｓ３１０において、第２ＳＩＭ１４２に対応する第２コードレス通信１２の状態を判定する動作が遂行される。図８に図示されているように、第２コードレス通信１２が遊休状態またはＣＤＲＸ状態である場合、段階Ｓ３３０が後続して遂行される一方、第２コードレス通信１２が接続状態である場合、段階Ｓ３５０が後続して遂行される。
【００５９】
段階Ｓ３３０において、第１ウィンドウ及び第２ウィンドウが重畳するか否かということを判定する動作が遂行される。第１コードレス通信１１が遊休状態であるので、第１ウィンドウは、第１ページングウィンドウに対応する一方、第２ウィンドウは、第２コードレス通信１２が遊休状態である場合、第２ページングウィンドウでもあり、第２コードレス通信１２がＣＤＲＸ状態である場合、第２ＣＤＲＸウィンドウでもある。例えば、図９Ａを参照すれば、第１ウィンドウＷＩＮ１及び第２ウィンドウＷＩＮ２は、時間軸上で重畳したり、重畳しなかったりする。第１ウィンドウ及び第２ウィンドウが重畳する場合、段階Ｓ３７０において、衝突が予測される一方、第１ウィンドウ及び第２ウィンドウが重畳しない場合、段階Ｓ３９０において、非衝突が予測される。そのように、多重ＳＩＭ装置１３０は、図４の段階Ｓ２００で設定された第１ウィンドウＷＩＮ１及び第２ウィンドウＷＩＮ２が、時間軸上で重畳するか否かということを判定することにより、第１コードレス通信１１と第２コードレス通信１２との衝突いかんを予測することができる。
【００６０】
段階Ｓ３５０において、第１ウィンドウ及び第２ＳＩＭ１４２の受信区間が重畳するか否かということを判定する動作が遂行される。第２ＳＩＭ１４２の受信区間は、第２ＳＩＭ１４２に係わる第２コードレス通信１２が接続状態において、データを受信する区間を称する。例えば、図９Ｂを参照すれば、接続状態である第２コードレス通信１２において、データを受信する受信区間、及び第１ウィンドウが、時間軸上で重畳する。図８に図示されているように、第１ウィンドウ及び第２ＳＩＭ１４２の受信区間が重畳する場合、段階Ｓ３７０において、衝突が予測される一方、第１ウィンドウ及び第２ＳＩＭ１４２の受信区間が重畳していない場合、段階Ｓ３９０において、非衝突が予測されることができる。
【００６１】
図１０は、本開示の例示的実施形態による、図４の段階Ｓ５００の例示を示す順序図である。図４を参照して説明されたように、図４の段階Ｓ４００において、衝突予測時、図１０の段階Ｓ５００’において、同時受信の可能性を判定する動作が遂行される。図１０に図示されているように、段階Ｓ５００’は、複数の段階（段階Ｓ５２０，Ｓ５４０，Ｓ５６０，Ｓ５８０）を含んでもよく、以下において、図１０は、図１及び図４を参照して説明される。
【００６２】
段階Ｓ５２０において、フレーム境界の間、時間差を計算する動作が遂行される。該フレーム境界は、複数のＳＩＭにそれぞれ係わる無線通信で伝送されるフレームのタイミングに対応し、該フレーム境界の間、該時間差は、同時受信が可能であるか否かということを判断することを基にも使用される。例えば、第１コードレス通信１１及び第２コードレス通信１２のフレーム境界の間、時間差が相対的に大きい場合、キャリアアグリゲーション（ＣＡ）により、第１コードレス通信１１及び第２コードレス通信１２を同時受信することは容易ではない。すなわち、近似的に同一タイミングで受信されるフレームは、同時に処理される一方、そうではないフレームは、同時に処理されることが制限される。それにより、段階Ｓ５２０において、異なる無線通信に対応するフレーム境界の間、時間差が計算され、同時受信の可能性を判断するのにも利用される。
【００６３】
段階Ｓ５４０において、時間差と第１閾値（ＴＨＲ１）とを比較する動作が遂行される。図１０に図示されているように、段階Ｓ５２０で計算された時間差が、第１閾値（ＴＨＲ１）より大きい場合、段階Ｓ５６０が後続して遂行される一方、時間差が、第１閾値（ＴＨＲ１）以下である場合、段階Ｓ５８０が後続して遂行される。一部実施形態において、図１０に図示されているものと異なり、時間差が、第１閾値（ＴＨＲ１）以上である場合、段階Ｓ５６０が後続して遂行され、時間差が、第１閾値（ＴＨＲ１）未満である場合、段階Ｓ５８０が後続して遂行される。
【００６４】
一部実施形態において、第１閾値（ＴＨＲ１）は、ＣＰ（cyclic  prefix）に基づいても決定される。例えば、１つのフレームは、複数のサブフレームを含んでもよく、１つのサブフレームは、複数のスロット（slot）を含んでもよく、１つのスロットは、複数のシンボル、例えば、複数のＯＦＤＭ（orthogonal  frequency  division  multiplexing）シンボルを含んでもよい。該スロットに含まれたＯＦＤＭシンボルは、ＣＰの構成によっても変動し、該ＣＰは、拡張（extended）ＣＰ及び正常（normal）ＣＰを含んでもよい。例えば、正常ＣＰの場合、１つのスロットは、７個のＯＦＤＭシンボルを含む一方、拡張ＣＰの場合、１つのスロットは、６個のＯＦＤＭシンボルを含んでもよい。ユーザ機器１００が移動中である場合のように、無線通信のためのチャネル状態が不安定な場合、シンボル間干渉（ＩＳＩ：inter-symbol  interference）を低減させるために、拡張ＣＰが使用される。一部実施形態において、正常ＣＰは、約５．１μｓの長さを有することができる一方、拡張ＣＰは、約１６．７μｓの長さを有することができ、本明細書において、ＣＰの長さは、単にＣＰとも称される。フレーム境界の間、時間差がＣＰより大きい場合、キャリアアグリゲーション（ＣＡ）による同時受信は、容易ではないので、第１閾値（ＴＨＲ１）は、ＣＰに基づいても決定される。
【００６５】
段階Ｓ５６０において、多重接続（ＭＣ）の構成に基づいて、同時受信いかんを判定する動作が遂行される。段階Ｓ５４０において、時間差が、第１閾値（ＴＨＲ１）より大きいと判定された場合、キャリアアグリゲーション（ＣＡ）による同時受信は、容易ではない。それにより、多重ＳＩＭ装置１３０は、ＲＦ資源として、送受信器１２０が多重接続（ＭＣ）を支援するか否かということ、及び送受信器１２０の現在状態において、多重接続（ＭＣ）によるＲＦ経路を追加することができるか否かということにより、同時受信いかんを判定することができる。すなわち、多重ＳＩＭ装置１３０は、送受信器１２０が、多重接続（ＭＣ）を支援する場合、段階Ｓ５２０で計算された時間差に無関係に、送受信器１２０の現在状態に基づいて、同時受信いかんを判定することができる。
【００６６】
段階Ｓ５８０において、キャリアアグリゲーション（ＣＡ）及び多重接続（ＭＣ）の構成に基づいて、同時受信いかんを判定する動作が遂行される。段階Ｓ５４０において、時間差が第１閾値（ＴＨＲ１）以下であると判定された場合、キャリアアグリゲーション（ＣＡ）による同時受信が可能である。それにより、多重ＳＩＭ装置１３０は、ＲＦ資源として、多重接続（ＭＣ）だけではなく、キャリアアグリゲーション（ＣＡ）の構成に基づいて、同時受信いかんを判定することができる。例えば、多重ＳＩＭ装置１３０は、送受信器１２０が、キャリアアグリゲーション（ＣＡ）を支援するか否かということ、及び送受信器１２０の現在状態において、使用可能なコンポーネントキャリアがあるか否かということにより、同時受信いかんを判定することができる。一部実施形態において、送受信器１２０が、多重接続（ＭＣ）を支援しない場合、多重ＳＩＭ装置１３０は、キャリアアグリゲーション（ＣＡ）の構成に基づいて、同時受信いかんを判定することができる。一部実施形態において、送受信器１２０が、キャリアアグリゲーション（ＣＡ）及び多重接続（ＭＣ）をいずれも支援する場合、多重ＳＩＭ装置１３０は、キャリアアグリゲーション（ＣＡ）及び多重接続（ＭＣ）の構成に基づいて、同時受信いかんを判定することができる。
【００６７】
図１１は、本開示の例示的実施形態による、同時受信いかんを判定する方法を示す順序図である。一部実施形態において、図１１の段階Ｓ５１０は、図４の段階Ｓ５００にも含まれ、図１０の段階Ｓ５２０以前にも遂行される。図１１に図示されているように、段階Ｓ５１０は、複数の段階（段階Ｓ５１２，Ｓ５１４，Ｓ５１６）を含んでもよく、以下において、図１１は、図１、図４及び図５を参照して説明される。
【００６８】
一部実施形態において、複数のＳＩＭにそれぞれ係わる無線通信の同時受信いかんは、無線通信のチャネルの状態に基づいても判定される。例えば、無線通信で信号を受信するのに使用される増幅利得間の差が、キャリアアグリゲーション（ＣＡ）による同時受信いかんを判定するのにも使用される。第１コードレス通信１１で信号を受信するのに使用される第１増幅利得と、第２コードレス通信１２で信号を受信するのに使用される第２増幅利得との差が大きい場合、キャリアアグリゲーション（ＣＡ）により、第１コードレス通信１１及び第２コードレス通信１２の同時受信が容易ではない。すなわち、第１増幅利得が第２増幅得より顕著に大きく、第２コードレス通信１２で受信された信号を、第１増幅利得によって増幅する場合、第２コードレス通信１２で受信されたノイズが増幅されるか、あるいは有効信号の範囲が、増幅器の動的範囲（dynamic  range）を外れてしまう。それにより、無線通信の増幅利得間の差が、同時受信いかんを判定するのにも使用される。一部実施形態において、増幅利得差は、同時受信の可能性を判定する因子のうち一つでもある。例えば、チャネル状態に基づいて、同時受信の可能性を判定するために、後述される増幅利得、及びそれと異なる因子（例えば、変調次数（modulation  order）など）のうち少なくとも一つが使用され、良好なチャネルと、良好ではないチャネルとの格差が大きい場合、同時受信が不可能であるとあらかじめ判定される。
【００６９】
段階Ｓ５１２において、無線通信の増幅利得間の差を計算する動作が遂行される。例えば、多重ＳＩＭ装置１３０は、送受信器１２０において、アンテナアレイ１１０を介して受信されるＲＦ信号を増幅するのに使用される増幅利得を設定することができる。それにより、多重ＳＩＭ装置１３０は、第１コードレス通信１１に対応する第１増幅利得、及び第２コードレス通信１２に対応する第２増幅利得を獲得することができ、第１増幅利得と第２増幅利得との差を計算することができる。
【００７０】
段階Ｓ５１４において、増幅利得差と第２閾値（ＴＨＲ２）とを比較する動作が遂行される。図１１に図示されているように、段階Ｓ５１２で計算された増幅利得差が、第２閾値（ＴＨＲ２）より大きい場合、段階Ｓ５１６が後続して遂行される一方、増幅利得差が、第２閾値（ＴＨＲ２）以下である場合、図１０の段階Ｓ５２０が後続して遂行される。一部実施形態において、図１１に図示されているところと異なるように、増幅利得差が、第２閾値（ＴＨＲ２）以上である場合、段階Ｓ５１６が後続して遂行され、増幅利得差が、第２閾値（ＴＨＲ２）未満である場合、図１０の段階Ｓ５２０が後続して遂行される。
【００７１】
段階Ｓ５１６において、同時受信の不可能を判定する動作が遂行される。段階Ｓ５１４において、増幅利得差が、第２閾値（ＴＨＲ２）を超えると判定された場合、同時受信が不可能であるとも事前に判定され、フレーム境界の間、時間差に基づいて、同時受信いかんを判定する、図１０の段階（段階Ｓ５２０，Ｓ５４０，Ｓ５６０，Ｓ５８０）の遂行は、省略される。
【００７２】
図１２Ａ及び図１２Ｂは、本開示の例示的実施形態による、同時受信の例示を示すタイミング図である。具体的には、図１２Ａ及び図１２Ｂは、キャリアアグリゲーション（ＣＡ）により、図１の第１コードレス通信１１及び第２コードレス通信１２の同時受信の例示を示す。例えば、図４の段階Ｓ７００において、図１２Ａ及び図１２Ｂに図示されているように第１コードレス通信１１及び第２コードレス通信１２にＲＦ経路が割り当てられる。以下において、図１２Ａ及び図１２Ｂは、図１を参照して説明される。
【００７３】
図１２Ａの左側を参照すれば、第２コードレス通信１２は、第１コンポーネントキャリアＣＣ２、第２コンポーネントキャリアＣＣ２及び第３コンポーネントキャリアＣＣ３を含むキャリアアグリゲーション（ＣＡ）を使用することができる。たとえ図１２Ａにおいて、第１コンポーネントキャリアＣＣ２、第２コンポーネントキャリアＣＣ２及び第３コンポーネントキャリアＣＣ３は、相互隣接（または、連続）しているように図示されているにしても、一部実施形態において、第２コードレス通信１２は、図１２Ｂに図示されているように、相互離隔（または、非連続）コンポーネントキャリアを含むキャリアアグリゲーション（ＣＡ）を使用することもできる。また、一部実施形態において、第２コードレス通信１２は、１つの周波数帯域内において、コンポーネントキャリアを含むイントラバンド（intra-band）キャリアアグリゲーション（ＣＡ）、または２以上の周波数帯域内において、コンポーネントキャリアを含むインターバンド（inter-band）キャリアアグリゲーション（ＣＡ）を使用することもできる。また、第２コードレス通信１２は、３個未満あるいは３個超過のコンポーネントキャリアを含むキャリアアグリゲーション（ＣＡ）を使用することもできる。
【００７４】
一部実施形態において、図４の段階Ｓ３００において、第１コードレス通信１１及び第２コードレス通信１２が衝突すると予測され、段階Ｓ５００において、同時受信が可能であると判定された場合、段階Ｓ７００において、第２コードレス通信１２に割り当てられた複数のＲＦ経路のうち少なくとも１つのＲＦ経路を剥奪し、剥奪された少なくとも１つのＲＦ経路を、第１コードレス通信１１に割り当てる動作が遂行される。例えば、図１２Ａの右側に図示されているように、第３コンポーネントキャリア（ＣＣ３）が、第２コードレス通信１２から剥奪され、第１コードレス通信１１、例えば、第１コードレス通信１１が遊休状態である場合、第１ページングに割り当てられる。それにより、第１コードレス通信１１（または、第１ページング）及び第２コードレス通信１２で受信されるデータは、キャリアアグリゲーション（ＣＡ）によっても同時受信される。
【００７５】
図１２Ｂの左側を参照すれば、第２コードレス通信１２は、第１コンポーネントキャリアＣＣ１及び第３コンポーネントキャリアＣＣ３を含むキャリアアグリゲーション（ＣＡ）を使用することができる。一部実施形態において、図４の段階Ｓ３００において、第１コードレス通信１１及び第２コードレス通信１２が衝突すると予測され、段階Ｓ５００において、同時受信が可能であると判定された場合、段階Ｓ７００において、第２コードレス通信１２に割り当てられた少なくとも１つのＲＦ経路と異なる少なくとも１つのＲＦ経路を追加し、追加された少なくとも１つのＲＦ経路を、第１コードレス通信１１に割り当てる動作が遂行される。例えば、図１２Ｂの右側に図示されているように、第２コードレス通信１２に割り当てられた第１コンポーネントキャリアＣＣ１及び第３コンポーネントキャリアＣＣ３は、維持され、第２コンポーネントキャリアＣＣ２が、第１コードレス通信１１、例えば、第１コードレス通信１１が遊休状態である場合、第１ページングにも割り当てられる。それにより、図１２Ａと類似し、第１コードレス通信１１（または、第１ページング）及び第２コードレス通信１２で受信されるデータは、キャリアアグリゲーション（ＣＡ）によっても同時受信される。
【００７６】
図１３は、本開示の例示的実施形態による、多重ＳＩＭ無線通信のための方法を示す順序図である。具体的には、図４の方法と比較するとき、図１３の方法は、複数のＳＩＭにそれぞれ係わる複数の無線通信間の衝突を予測する段階が省略される。例えば、図１３の方法は、図１の多重ＳＩＭ装置１３０によっても遂行され、以下において、図１３は、図１を参照して説明され、図１３に係わる説明のうち図４に係わる説明と重複する内容は、省略される。
【００７７】
段階Ｓ２０において、ＲＦ資源情報を獲得する動作が遂行される。ＲＦ資源情報は、送受信器１２０が提供するＲＦ資源、すなわち、ＲＦ経路に係わる情報を含んでもよく、例えば、キャリアアグリゲーション（ＣＡ）及び／または多重接続（ＭＣ）の構成に係わる情報を含んでもよい。一部実施形態において、ＲＦ経路に係わる情報の少なくとも一部は、送受信器１２０から多重ＳＩＭ装置１３０に提供され、多重ＳＩＭ装置１３０の内部保存所にも保存され、多重ＳＩＭ装置１３０の外部保存所にも保存されている。
【００７８】
段階Ｓ４０において、同時受信が可能であるか否かということを判定する動作が遂行される。例えば、多重ＳＩＭ装置１３０は、段階Ｓ２０で獲得されたＲＦ経路情報に基づいて、同時受信が可能であるか否かということを判定することができる。多重ＳＩＭ装置１３０は、図４の例示と異なるように、第１コードレス通信１１及び第２コードレス通信１２は、衝突いかんと無関係に、ＲＦ資源情報に基づいて、同時受信が可能であるか否かということを判定することができる。第１コードレス通信１１及び第２コードレス通信１２に、少なくとも１つのＲＦ経路が割り当てられる場合、同時受信が可能であると判定され、段階Ｓ６０において、第１コードレス通信１１及び第２コードレス通信１２に、ＲＦ経路を割り当てる動作が後続して遂行される。他方、第１コードレス通信１１及び第２コードレス通信１２のうち一つに、ＲＦ経路が割り当てられない場合、同時受信が不可能であると判定され、段階Ｓ８０において、一部無線通信を保留する動作が後続して遂行される。
【００７９】
図１４は、本開示の例示的実施形態による、図１の多重ＳＩＭ装置１３０の例示を示すブロック図である。図１４に図示されているように、多重ＳＩＭ装置１３０’は、少なくとも１つのプロセッサ１３２及びメモリ１３４を含んでもよく、少なくとも１つのプロセッサ１３２及びメモリ１３４は、通信可能に相互連結される。
【００８０】
少なくとも１つのプロセッサ１３２は、命令語を含むプログラムコードを実行することにより、所望動作を遂行することができる。少なくとも１つのプロセッサ１３２は、例えば、プログラムに含まれたコード及び／または命令語によって表現された動作を含む、所望動作を実行するように物理的に構造化された回路を含むハードウェア具現データ処理装置を指すことができる。一部実施形態において、そのようなハードウェア具現データ処理装置は、非制限的な例示であり、マイクロプロセッサ、ＣＰＵ（central  processing  unit）、プロセッサコア、マルチコアプロセッサ、マルチプロセッサ、ＡＰ（application  processor）、ＣＰ（communication  processor）、ＡＳＩＣ（application  specific  integrated  circuit）及びＦＰＧＡ（field  programmable  gate  array）を含んでもよい。
【００８１】
メモリ１３４は、少なくとも１つのプロセッサ１３２によってアクセスされ、図１４に図示されているように、衝突ハンドラ１３４＿２及びハードウェア構成１３４＿１を保存することができる。メモリ１３４は、非制限的な例示として、ＲＡＭ（random  access  memory）、ＲＯＭ（read-only  memory）、テープ、磁気ディスク、光学ディスク、揮発性メモリ、非揮発性メモリ、及びそれらの組み合わせのように、少なくとも１つのプロセッサ１３２によってアクセス可能な任意類型のメモリを含んでもよい。一部実施形態において、衝突ハンドラ１３４＿２及びハードウェア構成１３４＿１は、分離されたメモリ装置にそれぞれ保存されてもよい。
【００８２】
少なくとも１つのプロセッサ１３２は、メモリ１３４に保存された衝突ハンドラ１３４＿２を実行することにより、図面を参照して説明された多重ＳＩＭ装置１３０’の動作のうち少なくとも一部を遂行することができる。例えば、少なくとも１つのプロセッサ１３２は、衝突ハンドラ１３４＿２を実行することにより、無線通信に対応するウィンドウを設定することができ、該ウィンドウに基づいて、無線通信間の衝突を推定することができる。また、少なくとも１つのプロセッサ１３２は、衝突ハンドラ１３４＿２を実行することにより、メモリ１３４に保存されたハードウェア構成１３４＿１を参照することができ、無線通信間の衝突推定時、ハードウェア構成１３４＿１に基づいて、同時受信が可能であるか否かということを判定することができる。例えば、ハードウェア構成１３４＿１は、図１の送受信器１２０が提供するＲＦ資源に係わる情報として、キャリアアグリゲーション（ＣＡ）及び／または多重接続（ＭＣ）の構成を含んでもよい。
【００８３】
以上のように、図面と明細書とで例示的な実施形態が開示された。本明細書において、特定用語を使用して実施形態について説明したが、それらは、単に本開示の技術的思想についての説明目的に使用されたものであり、意味限定や、特許請求の範囲に記載された本開示の範囲制限のために使用されたものではない。従って、本技術分野の当業者であるならば、それらから多様な変形、及び均等な他の実施形態が可能であるという点を理解するであろう。従って、本開示の真の技術的保護範囲は、特許請求の範囲の技術的思想によって決められるものである。
【産業上の利用可能性】
【００８４】
本発明の、多重ＳＩＭ無線通信のための装置及びその方法は、例えば、通信関連の技術分野に効果的に適用可能である。
【符号の説明】
【００８５】
１０        無線通信システム
２０        プロトコルスタックシステム
２１        第１プロトコルスタック
２２        第２プロトコルスタック
２３，１３４＿２  衝突ハンドラ
２４        ハードウェアインターフェース
１００      ユーザ機器
１１０      アンテナアレイ
１２０      送受信器
１３０，１３０’  多重ＳＩＭ装置
１３２      プロセッサ
１３４      メモリ
１３４＿１  ハードウェア構成
１４１      第１ＳＩＭ
１４２      第２ＳＩＭ
２１０      第１ネットワーク
２１１      第１基地局
２２１      第２基地局
２２０      第２ネットワーク
【図１】
2020065247.tif 000003
【図２】
2020065247.tif 000004
【図３Ａ】
2020065247.tif 000005
【図３Ｂ】
2020065247.tif 000006
【図３Ｃ】
2020065247.tif 000007
【図４】
2020065247.tif 000008
【図５Ａ】
2020065247.tif 000009
【図５Ｂ】
2020065247.tif 000010
【図６】
2020065247.tif 000011
【図７Ａ】
2020065247.tif 000012
【図７Ｂ】
2020065247.tif 000013
【図８】
2020065247.tif 000014
【図９Ａ】
2020065247.tif 000015
【図９Ｂ】
2020065247.tif 000016
【図１０】
2020065247.tif 000017
【図１１】
2020065247.tif 000018
【図１２Ａ】
2020065247.tif 000019
【図１２Ｂ】
2020065247.tif 000020
【図１３】
2020065247.tif 000021
【図１４】
2020065247.tif 000022